(57)【特許請求の範囲】
【請求項１】
磁気記録媒体に記録された信号を、磁気ヘッドを用いて再生する再生装置において、
前記磁気ヘッドにより再生された信号を増幅する増幅手段と、
前記増幅手段により増幅された信号の振幅を検出すると共に、検出した振幅に基づいて前記再生された信号の振幅を一定に保持するよう前記増幅手段を制御する振幅検出手段と、
前記増幅手段により増幅された信号を誤り訂正復号すると共に、訂正できないエラーを検出するエラー検出手段と、
前記振幅検出手段により検出された振幅と前記エラー検出手段により検出されたエラーとに基づいて、前記磁気ヘッドの目詰まりの発生を検出する目詰まり検出手段とを備えたことを特徴とする再生装置。
【請求項２】
前記振幅検出手段により検出された振幅を積分する積分手段を備え、
前記目詰まり検出手段は、前記積分手段の出力を平均化した出力と前記積分手段の出力の差分と、前記エラー検出手段の出力を平均化した出力と前記エラー検出手段の出力との差分とに基づいて、前記磁気ヘッドの目詰まりの発生を検出することを特徴とする請求項１記載の再生装置。
【請求項３】
前記目詰まり検出手段は、前記振幅検出手段により検出された振幅が第１の所定値よりも大きい場合であっても、前記エラー検出手段により検出されたエラーの個数の平均が第２の所定値よりも小さい場合には、目詰まりの発生であると判断することを特徴とする請求項１記載の再生装置。
【請求項４】
前記目詰まり検出手段は、前記振幅検出手段により検出された振幅が第１の所定値よりも小さい場合であっても、前記エラー検出手段により検出されたエラーの個数の平均が第２の所定値よりも小さい場合には、目詰まりの発生であると判断しないことを特徴とする請求項１記載の再生装置。
【発明の詳細な説明】
【０００１】
【発明の属する技術分野】
本発明は、磁気記録媒体に記録された信号を、磁気ヘッドを用いて再生する再生装置に関する。
【０００２】
【従来の技術】
従来、磁気記録媒体に磁気ヘッドを用いて記録再生を行う磁気記録再生装置において、磁気ヘッドの表面にゴミや機器内部に使用されている油脂類が付着して記録再生の電磁変換特性が著しく劣化した状態や、磁気ヘッド表面に磁気記録媒体との摩擦による酸化膜が形成されることにより記録再生の磁気変換特性が著しく劣化した状態のことを磁気ヘッドの「目詰まり」と称しており、この目詰まりを、従来は以下に示す手法によって検出していた。
【０００３】
図５は、従来の磁気記録再生装置において行われている目詰まり検出方法を説明するためのブロック図である。
【０００４】
同図において、磁気記録再生装置は、複数、たとえば２つの磁気ヘッドを有しており、各磁気ヘッドからの信号は、ヘッドアンプ１１、１２にそれぞれ入力され、増幅される。ヘッドアンプ１１又はヘッドアンプ１２により増幅された信号は、ヘッドアンプ切換部１３を通ってゲインコントロールアンプ１４に入力される。ヘッドアンプ切換部１３は、ヘッドアンプ１１、１２からの信号を、マイコン１９からの制御信号ａに応じて切換える。ゲインコントロールアンプ１４は、外部から入力される信号の電圧値に応じて、ヘッドアンプ１１又は１２からの信号を増幅する。増幅された信号は、イコライザ１５に入力される。イコライザ１５は、ゲインコントロールアンプ１４により増幅された信号の位相及び振幅を所定の特性に設定する。この信号はＡ／Ｄ変換部１６に入力される。Ａ／Ｄ変換部１６は、ゲインコントロールアンプ１４の出力信号を量子化することにより、デジタル信号を生成する。このデジタル信号はデジタル信号処理回路２０に入力される。デジタル信号処理回路２０は、入力されたデジタル信号を復号し、ビデオ信号及びオーディオ信号を生成して出力する。
【０００５】
Ａ／Ｄ変換部１６により生成されたデジタル信号は、また、振幅検出部１７に入力される。振幅検出部１７は、Ａ／Ｄ変換部１６へ入力される信号レベルを一定に保持するために、その信号レベルが所定の基準電圧より高い場合に低電圧の信号を出力し、信号レベルが所定の基準電圧より低い場合に高電圧の信号を出力するように動作する。振幅検出部１７の出力信号はゲインコントロールアンプ１４にその制御信号として入力される。従って、再生動作が行われているときは、Ａ／Ｄ変換部１６への信号の入力レベルを常に一定に保持することができる。このとき、ヘッドアンプ切換部１３からの出力信号の信号レベルが小さいときは前記制御信号の電圧レベルは高くなり、また、ヘッドアンプ切換部１３からの出力信号の信号レベルが無いときは、制御信号の電圧レベルは更に高くなる。
【０００６】
マイコン１９は、前記制御電圧が所定基準値以上であるか否かを判別し、所定基準値以上である場合には磁気ヘッドに目詰まりが発生していると判断する。
【０００７】
【発明が解決しようとする課題】
しかしながら、上記従来の手法によれば、Ａ／Ｄ変換部１６へ入力される信号レベルを一定に保持する為のゲインコントロールアンプ１４の制御電圧だけを検出して目詰まりの有無を判別するので、以下のような問題点があった。
【０００８】
すなわち、磁気テープ等の磁気記録媒体に記憶されている信号を磁気ヘッドにより再生する場合には、記録されている多くの部分で出力が低くなるため、目詰まりが発生していないにも拘らず目詰まりが発生していると誤判断される場合があった。
【０００９】
また、磁気ヘッドによる再生出力が十分に高い場合には、機器内部の油脂類が磁気ヘッドに付着して高域成分が劣化して目詰まりが発生した場合であっても、目詰まりが発生していることを検出することが困難であった。
【００１０】
本発明は、上記問題点を解決するためになされたもので、磁気ヘッドの目詰まり状態を正確に検出することができる再生装置を提供することを目的とする。
【００１１】
【課題を解決するための手段】
上記目的を達成するために、請求項１記載の再生装置は、磁気記録媒体に記録された信号を、磁気ヘッドを用いて再生する再生装置において、前記磁気ヘッドにより再生された信号を増幅する増幅手段と、前記増幅手段により増幅された信号の振幅を検出すると共に、検出した振幅に基づいて前記再生された信号の振幅を一定に保持するよう前記増幅手段を制御する振幅検出手段と、前記増幅手段により増幅された信号を誤り訂正復号すると共に、訂正できないエラーを検出するエラー検出手段と、前記振幅検出手段により検出された振幅と前記エラー検出手段により検出されたエラーとに基づいて、前記磁気ヘッドの目詰まりの発生を検出する目詰まり検出手段とを備えたことを特徴とする。
請求項２記載の再生装置は、上記請求項１記載の再生装置において、前記振幅検出手段により検出された振幅を積分する積分手段を備え、前記目詰まり検出手段は、前記積分手段の出力を平均化した出力と前記積分手段の出力の差分と、前記エラー検出手段の出力を平均化した出力と前記エラー検出手段の出力との差分とに基づいて、前記磁気ヘッドの目詰まりの発生を検出することを特徴とする。
請求項３記載の再生装置は、上記請求項１記載の再生装置において、前記目詰まり検出手段は、前記振幅検出手段により検出された振幅が第１の所定値よりも大きい場合であっても、前記エラー検出手段により検出されたエラーの個数の平均が第２の所定値よりも小さい場合には、目詰まりの発生であると判断することを特徴とする。
請求項４記載の再生装置は、上記請求項１記載の再生装置において、前記目詰まり検出手段は、前記振幅検出手段により検出された振幅が第１の所定値よりも小さい場合であっても、前記エラー検出手段により検出されたエラーの個数の平均が第２の所定値よりも小さい場合には、目詰まりの発生であると判断しないことを特徴とする。
【００３１】
【発明の実施の形態】
以下、本発明の実施形態について、図面を参照して説明する。
【００３２】
（第１実施形態）
まず、本発明の第1実施形態について、図１及び図２を参照して説明する。
【００３３】
図１は、本実施形態に係る磁気記録再生装置の特徴を最もよく表すブロック図である。
【００３４】
同図において、磁気記録再生装置は２つの磁気ヘッドを有しており、各磁気ヘッドからの信号は、不図示のロータリートランスを介してヘッドアンプ１及び２にそれぞれ入力され、増幅される。なお、設置される磁気ヘッドの数は２つに限られるものではないことは言うまでもない。
【００３５】
ヘッドアンプ１又はヘッドアンプ２により増幅された信号は、ヘッドアンプ切換部３を通ってゲインコントロールアンプ４に入力される。ヘッドアンプ切換部３は、マイコン９からの制御信号ａに応じて、ドラムの回転に併せて、複数のヘッドアンプからの信号を切換える。
【００３６】
ゲインコントロールアンプ４は、外部から入力される信号の電圧値に応じて、ヘッドアンプ１又は２からの信号を増幅する。増幅された信号は、イコライザ５に入力される。
【００３７】
イコライザ５は、ゲインコントロールアンプ４により増幅された信号の位相及び振幅を所定の特性に設定する。この信号はＡ／Ｄ変換部６に入力される。Ａ／Ｄ変換部６は、ゲインコントロールアンプ４の出力信号を量子化することにより、デジタル信号を生成する。
【００３８】
Ａ／Ｄ変換部６により生成されたデジタル信号は、振幅検出部７に入力される。
【００３９】
振幅検出部７は、Ａ／Ｄ変換部６へ入力される信号レベルを一定に保持するために、その信号レベルが所定の基準電圧より高い場合に低電圧の信号を出力し、信号レベルが所定の基準電圧より低い場合に高電圧の信号を出力するように動作する。振幅検出部７の出力信号はゲインコントロールアンプ４にその制御信号として入力される。従って、再生動作が行われているときは、Ａ／Ｄ変換部６への信号の入力レベルを常に一定に保持することができる。このとき、ヘッドアンプ切換部３からの出力信号の信号レベルが小さいときは前記制御信号の電圧レベルは高くなり、また、ヘッドアンプ切換部３からの出力信号が無いときは、制御信号の電圧レベルは更に高くなる。また、振幅検出部７の出力は、後述するマイコン９にも入力される。
【００４０】
また、Ａ／Ｄ変換部６により生成されたデジタル信号は、デジタル信号処理回路１０に入力される。デジタル信号処理回路１０は、入力されたデジタル信号を復号し、ビデオ信号及びオーディオ信号を生成する。また、デジタル信号処理回路１０は、エラー検出部８を内蔵しており、このエラー検出部８は、デジタル信号処理回路１０内で量子化された信号を元のデジタル信号に誤り訂正復号する過程で、再生信号中の誤りデータを訂正しきれなかったデータを算出し、エラー値を出力するように動作する。このエラー値は、マイコン９に入力される。
【００４１】
マイコン９は、ヘッドアンプ切換部３の切換位置とエラー検出部８の出力とに基いて各磁気ヘッド毎のエラー値を取得し、このエラー値を各磁気ヘッド毎に平均化する。この平均化処理は、公知の手法を用いて、ある程度の期間に亘ってエラーの個数の平均をとることにより行われる。そして、後述する手順に従って、振幅検出部７から入力される制御電圧が所定基準値以上であるか否か及びエラー値が所定値以上であるか否かを判別することにより、何かが磁気ヘッドに付着することによる目詰まり状態が発生していることだけでなく、油膜や表面の酸化など再生出力レベルのみによる従来の目詰まり検出手法では検出できなかった目詰まり状態を検出する。
【００４２】
図２は、上記構成からなる磁気記録再生装置において実行される目詰まり検出手順を示すフローチャートである。このフローチャートを実行するためのプログラムは、例えばマイコン９に内蔵されている不図示のメモリ（ＲＯＭ等）に格納されており、マイコン９内の不図示の中央演算処理部（ＭＰＵ等）により実行される。
【００４３】
磁気ヘッドが駆動されて磁気記録媒体に記録されているデータの再生が開始されると本フローチャートは開始され、まず、振幅検出部７から入力される制御電圧が所定電圧以上であるか否かが判別される（ステップＳ１）。この判別で、制御電圧が所定電圧以上である場合は、エラー値が所定値より小さいか否かが判別される（ステップＳ２）。そして、エラー値が所定値より小さいと判別された場合は、目詰まりが発生していない通常状態であると判断されるので、通常再生が行われ（ステップＳ３）、そのまま本手順が終了される。
【００４４】
一方、エラー値が所定値より大きいと判別された場合は、何かが磁気ヘッドに付着して焼付き等による目詰まりが発生している状態と判断されるので（ステップＳ４）、所定のクリーニング動作を行うことが操作者に通知され（ステップＳ５）、本手順が終了される。すなわち、再生出力レベルのみを用いて目詰まりを検出する従来の手法では検出できなかったような、再生出力レベルが一定以上である場合の目詰まり（例えば、油膜、表面の酸化等による目詰まり）をも、検出することができる。
【００４５】
上記ステップＳ１の判別で、振幅検出部７から入力される制御電圧が所定電圧より小さいと判別された場合は、エラー値が所定値より小さいか否かが判別される（ステップＳ６）。この判別で、エラー値が所定値より小さい場合は通常の状態であると判断され、上記ステップＳ３で通常再生が行われる。また、ステップＳ６の判別で、エラー値が所定値より大きい場合は、なにかが付着している目詰まり状態と判断される（ステップＳ７）ので、上記ステップＳ５において、所定のクリーニング動作を行うことが操作者に通知される。
【００４６】
以上説明したように、本実施形態によれば、ゲインコントロールアンプ４の制御電圧と、元のデジタルデータへの再生過程におけるエラー値とにより磁気ヘッドの目詰まり状態を検出するようにしたので、ギャップのゴミ等による目詰まりだけでなく、油膜や表面の酸化等、従来の再生出力レベルのみによる目詰まり検出方法では検出できなかったような目詰まり状態をも正確に検出することが可能となる。
【００４７】
（第２実施形態）
次に、本発明の第２実施形態について、図３及び図４を参照して説明する。
【００４８】
図３は、本実施形態に係る磁気記録再生装置の特徴をもっともよく表すブロック図である。同図から明らかなように、本実施形態に係る磁気記録再生装置は、上述した第１実施形態の図１に示した磁気記録再生装置の振幅検出部７及びエラー検出部８とマイコン９との間に、積分回路３１、平均化処理部３２、振幅差検出部３３及びエラー差検出部３４を設けた点で、図１の磁気記録再生装置と相違する。これ以外の構成要素は、図１に示したものと同様であるので、同一構成要素には同一符号を付しておく。
【００４９】
振幅検出部７の出力信号は、ゲインコントローラアンプ４及び積分回路３１に入力される。積分回路３１は、振幅検出部７の出力をトラック毎に積分して後述する平均化処理部が処理しやすい形式にして出力する。この出力は、平均化処理部３２及び振幅差検出部３３に入力される。また、エラー検出部８により検出されたエラー値は、平均化処理部３２及びエラー差検出部３４に入力される。
【００５０】
平均化処理部３２は、積分回路３１の出力とエラー検出部８の出力とを、それぞれ平均化するように動作する。積分回路３１の出力を平均化することにより得られた信号は振幅差検出部３３に入力され、エラー検出部８の出力であるエラー値を平均化することにより得られた信号はエラー差検出部３４に入力される。
【００５１】
振幅差検出部３３では、積分回路３１から直接入力された信号（制御電圧値）と平均化処理部３２から入力された信号（平均電圧値）との差分が演算され、この差分がマイコン９に入力される。また、エラー差検出部３４では、エラー検出部８から直接入力されたエラー値と平均化処理部３２から入力された平均エラー値との差分が演算され、この差分がマイコン９に入力される。
【００５２】
マイコン９は、後述する手順に従って、振幅差検出部３３から入力される値が所定基準値以上であるか否か及びエラー差検出部３４から入力されるエラー差値が所定値以上であるか否かを判別することにより、目詰まり状態を検出する。
【００５３】
図４は、上記構成からなる磁気記録再生装置において実行される目詰まり検出手順を示すフローチャートである。このフローチャートを実行するためのプログラムは、例えばマイコン９に内蔵されている不図示のメモリ（ＲＯＭ等）に格納されており、マイコン９内の不図示の中央演算処理部（ＭＰＵ等）により実行される。
【００５４】
磁気ヘッドが駆動されて磁気記録媒体に記録されているデータの再生が開始されると本フローチャートは開始され、まず、振幅差検出部３３から入力される差分が所定値以上であるか否かが判別される（ステップＳ１１）。この判別で、差分が所定値以上である場合は、次にエラー差検出部３４から入力されるエラー差値が所定値より小さいか否かが判別される（ステップＳ１２）。そして、エラー差値が所定値より小さいと判別された場合は、目詰まりが発生していない通常状態であると判断され、通常再生が行われ（ステップＳ１３）、そのまま本手順が終了される。
【００５５】
一方、エラー差検出部３４から入力されたエラー差値が所定値より大きいと判別された場合は、何かが磁気ヘッドに付着して焼付き等による目詰まりが発生している状態と判断されるので（ステップＳ１４）、所定のクリーニング動作を行うことが操作者に通知され（ステップＳ１５）、本手順が終了される。
【００５６】
また、上記ステップＳ１１の判別で、振幅差検出部３３から入力される差分が所定値より小さいと判別された場合は、エラー差値が所定値より小さいか否かが判別され（ステップＳ１６）、小さい場合は通常の状態であると判断されて、上記ステップＳ１３で通常再生が行われる。また、エラー差値が所定値より大きい場合は、なにかが付着している目詰まり状態と判断される（ステップＳ１７）ので、上記ステップＳ１５において、所定のクリーニング動作を行うことが操作者に通知される。
【００５７】
以上説明したように、本実施形態によれば、振幅差検出部３３の出力とエラー差検出部３４の出力とに基いて、各ヘッド毎に平均化して目詰まりを検出することにより、相対的な検出を行って、磁気ヘッドの目詰まり状態をより正確に検出する。また、磁気ヘッド毎に制御電圧及びエラー値の平均値と検出値との差分に基いて目詰まり検出を行うので、瞬間的に目詰まり状態が発生したことをも検出することが可能となる。
【００５８】
（他の実施形態）
なお、本発明の機能が実行されるのであれば、単体の機器からなる磁気記録再生装置であっても、複数の機器から成る磁気記録再生システムであっても、ＬＡＮ等のネットワークを介して処理が行われる磁気記録再生システムであっても本発明を適用できることはいうまでもない。
【００５９】
また、上述した実施形態の機能を実現するソフトウエアのプログラムコードを記録した記憶媒体をシステムあるいは装置に供給し、そのシステムあるいは装置のコンピュータ（またはＣＰＵ，ＭＰＵ）が記憶媒体に格納されたプログラムコードを読み出し実行することによっても、本発明の目的が達成されることはいうまでもない。
【００６０】
この場合、記憶媒体から読み出されたプログラムコード自体が本発明の新規な機能を実現することになり、そのプログラムコードを記憶した記憶媒体は本発明を構成することになる。
【００６１】
プログラムコードを供給する為の記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６２】
また、コンピュータが読み出したプログラムコードを実行することにより上述した実施形態の機能が実現されるだけでなく、そのプログラムコードの指示に基づいて、コンピュータ上で稼動しているＯＳ等が字際の処理の一部または全部を行い、その処理によって前述した実施形態の機能が実現される場合も含まれることはいうまでもない。
【００６３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づいて、その機能拡張ボードや機能拡張ユニットに備わるＣＰＵ等が実際の処理の一部または全部を行い、その処理によって前述した実施形態の機能が実現される場合も含まれることはいうまでもない。
【００６４】
【発明の効果】
以上説明したように、請求項１記載の再生装置によれば、磁気ヘッドにより再生された信号を増幅し、増幅された信号の振幅を検出すると共に、検出した振幅に基づいて再生された信号の振幅を一定に保持するよう制御した後、増幅された信号を誤り訂正復号すると共に、訂正できないエラーを検出し、検出された振幅と検出されたエラーとに基づいて、磁気ヘッドの目詰まりの発生を検出するようにしたので、ギャップのゴミ等による目詰まりだけでなく、油膜や表面の酸化等、従来の再生出力レベルのみによる目詰まり検出方法では検出できなかったような目詰まり状態をも正確に検出することができるという効果が得られる。
【００６５】
請求項２記載の再生装置によれば、請求項１記載の再生装置において、検出された振幅を積分し、その出力を平均化した出力とその出力の差分と、検出されたエラーの出力を平均化した出力と検出されたエラーの出力との差分とに基づいて、磁気ヘッドの目詰まりの発生を検出するようにしたので、相対的な検出を行って、磁気ヘッドの目詰まり状態をより正確に検出することができ、また、磁気ヘッド毎に制御電圧及びエラー値の平均値と検出値との差分に基いて目詰まり検出を行うので、瞬間的に目詰まり状態が発生したことをも検出することができるという効果が得られる。
【図面の簡単な説明】
【図１】本発明の第１実施形態に係る磁気記録再生装置の特徴を最もよく表すブロック図である。
【図２】図１に示した磁気記録再生装置において実行される目詰まり検出手順を示すフローチャートである。
【図３】本発明の第２実施形態に係る磁気記録再生装置の特徴をもっともよく表すブロック図である。
【図４】図３に示した磁気記録再生装置において実行される目詰まり検出手順を示すフローチャートである。
【図５】従来の磁気記録再生装置において行われている目詰まり検出方法を説明するためのブロック図である。
【符号の説明】
１、２    ヘッドアンプ（増幅手段）
３        ヘッドアンプ切換部（スイッチ手段）
４        ゲインコントロールアンプ（信号制御手段）
６        Ａ／Ｄ変換部（Ａ／Ｄ変換手段）
７        振幅検出部（振幅検出手段）
８        エラー検出部（エラー検出手段）
９、２９  マイコン（目詰まり検出手段）
１０      デジタル信号処理回路（デジタル信号処理手段）
３１      積分回路（積分手段）
３２      平均化処理部（平均化手段）
３３      振幅差検出部（振幅差検出手段）
３４      エラー差検出部（エラー差検出手段）
【図１】
0004154056.tif 000002
【図２】
0004154056.tif 000003
【図３】
0004154056.tif 000004
【図４】
0004154056.tif 000005
【図５】
0004154056.tif 000006